(57)【特許請求の範囲】
【請求項１】
エレベータの乗かごの天井付近に設けられ、照明光を拡散させる拡散板と、上記天井に装着され、上記拡散板を保持する板枠と、これらの板枠と拡散板とによって形成される筐体部の内部に配置されて上記天井に保持され、蛍光灯が嵌着可能なＣ形状部を有するばね金具とを備えたエレベータのかご内照明装置において、
複数のＬＥＤが設けられたＬＥＤパネルと、
上記ばね金具の上記Ｃ形状部に係着され、配線材が接続される電源装置が搭載され、下方に上記ＬＥＤパネルが取り付けられる取付部材と、
上記ばね金具の上記Ｃ形状部に嵌着され、上記取付部材を上記Ｃ形状部の内面に押圧する押圧部材とを備えたことを特徴とするエレベータのかご内照明装置。
【請求項２】
請求項１に記載のエレベータのかご内照明装置において、
上記取付部材を上記押圧部材の下方に配置し、上記ＬＥＤパネルを上記取付部材よりも大きな形状に形成したことを特徴とするエレベータのかご内照明装置。
【請求項３】
請求項１に記載のエレベータのかご内照明装置において、
上記取付部材を上記押圧部材の上方に配置し、ＬＥＤパネルを上記取付部材よりも小さく、上記ばね金具に干渉しない形状に形成したことを特徴とするエレベータのかご内照明装置。
【請求項４】
請求項１〜３のいずれか１項に記載のエレベータのかご内照明装置において、
上記押圧部材は、上記ばね金具の上記Ｃ形状部に嵌着可能な円環状の蛍光灯と略同等の形状を有する環状部材から成ることを特徴とするエレベータのかご内照明装置。
【発明の詳細な説明】
【技術分野】
【０００１】
本発明は、エレベータの乗かごの天井付近に設けられ、蛍光灯が嵌着可能なＣ形状部を有するばね金具を備えたエレベータのかご内照明装置に関する。
【背景技術】
【０００２】
図４は従来の蛍光灯を備えたエレベータのかご内照明装置を示す縦断面図である。この図４に示す従来の照明装置２０は、照明光を拡散させる拡散板６と、エレベータの乗かごの天井３に装着され、拡散板６を保持する板枠７と、これらの板枠７と拡散板６で形成される筐体部の内部に配置され、保持部材９によって天井３に保持され、円環状の蛍光灯２１が嵌着されるＣ形状部８ａを有するばね金具８とを備えている。また、蛍光灯２１の中央の天井３部分に保持部材９によって安定器１５が保持され、この安定器１５は配線材１４によってエレベータの電源装置に接続されている。蛍光灯２１と拡散板６との距離Ｘ３は、拡散板６に生じる光ムラを少なくする距離に設定されている。
【０００３】
図５は従来のＬＥＤパネルを備えたエレベータのかご内照明装置を示す縦断面図である。この図５に示す従来の照明装置３０は、板枠７と拡散板６で形成される筐体部の内部に配置され、保持部材３３によってエレベータの乗かごの天井３に保持され、複数のＬＥＤ３１ａが設けられたＬＥＤパネル３１を備えている。また、天井３には保持部材３３によって、ＬＥＤパネル３１の電源装置３４がＬＥＤパネル３１の横方向の天井３部分に保持部材３３によって保持され、この電源装置３４は、配線材３５に接続されている。この種のＬＥＤパネルを備えたかご内照明装置は、特許文献１に開示されている。
【先行技術文献】
【特許文献】
【０００４】
【特許文献１】特開２００４−３３８８２５号公報
【発明の概要】
【発明が解決しようとする課題】
【０００５】
昨今、エレベータのかご内照明装置として、上述した図５に示すようなＬＥＤパネル３１を備えた照明装置３０が要望されている。新設のエレベータの乗かご内に、図５に示すようなＬＥＤパネル３１を備えた照明装置３０を取り付ける場合には問題が無いが、図４に示すような蛍光灯２１を備えた既設のエレベータの乗かごに設けられる照明装置２０を、図５に示すようなＬＥＤパネル３１を備えた照明装置３０にリニューアルする場合には問題がある。
【０００６】
すなわち、図４に示す照明装置２０を図５に示す照明装置３０に変更するには、例えば天井３を新しい天井３に交換し、その天井に図５に示す保持部材３３を挿通させる取付穴３２を形成する。このような状態からＬＥＤパネル３１を保持する保持部材３３、及び電源装置３４を保持する保持部材３３を取付穴３２のそれぞれに挿通させて、天井３に取り付けることが行われる。
【０００７】
ところで、このような作業を行う場合、エレベータの利用を停止させた状態において、乗かごを部分解体し、乗り場側の開口部から取り外した既設の天井３を搬出させた後、新設の天井３を吊って乗かごの上部に移動させ、再度乗かごを組み立て調整することが必要となる。このために、部品コストが高くなるとともに、多大の作業時間を要し、エレベータの停止に伴うエレベータの利用者に対するサービス性が著しく低下する。
【０００８】
なお、図４に示すような照明装置２０において、蛍光灯２１とばね金具８、及び安定器１５を簡単に取り外せる場合には、既設の天井３を撤去しないでそのまま流用することがある。しかし、このような場合でも、図５に示すようなＬＥＤパネル３１を取り付けるための取付穴を天井３に多数形成する煩雑な作業が必要となる。したがって、このように既設の天井３を流用できる場合でも、リニューアルのために多大の作業時間が必要になり、エレベータの停止に伴うエレベータの利用者に対するサービス性が著しく低下する問題を生じる。
【０００９】
本発明は、上述した従来技術における実状からなされたもので、その目的は、既設のエレベータの乗かごに備えられる蛍光灯を有する照明装置を、複数のＬＥＤが設けられたＬＥＤパネルを有する照明装置にリニューアルするに際し、天井の交換を要することなく、また天井の加工を要することなく、ＬＥＤパネルを設置することができるエレベータのかご内照明装置を提供することにある。
【課題を解決するための手段】
【００１０】
上記目的を達成するために、本発明に係るエレベータのかご内照明装置は、エレベータの乗かごの天井付近に設けられ、照明光を拡散させる拡散板と、上記天井に装着され、上記拡散板を保持する板枠と、これらの板枠と拡散板とによって形成される筐体部の内部に配置されて上記天井に保持され、蛍光灯が嵌着可能なＣ形状部を有するばね金具とを備えたエレベータのかご内照明装置において、複数のＬＥＤが設けられたＬＥＤパネルと、上記ばね金具の上記Ｃ形状部に係着され、配線材が接続される電源装置が搭載され、下方に上記ＬＥＤパネルが取り付けられる取付部材と、上記ばね金具の上記Ｃ形状部に嵌着され、上記取付部材を上記Ｃ形状部の内面に押圧する押圧部材とを備えたことを特徴としている。
【００１１】
このように構成した本発明は、既設のエレベータの乗かごに備えられる蛍光灯を有する照明装置を、複数のＬＥＤが設けられたＬＥＤパネルを有する照明装置にリニューアルするに際しては、天井に装着されている板枠から拡散板を取り外し、ばね金具のＣ形状部に嵌着されている蛍光灯を取り外し、乗かごの天井に設けられている安定器に接続されている配線材の中途を切断し、安定器に接続される配線材部分を除く配線材部分を仮保持しておく。
【００１２】
ここで、電源装置が搭載された取付部材をばね金具のＣ形状部に係着させ、この状態でばね金具のＣ形状部に押圧部材を嵌着させる。これにより、取付部材は押圧部材とばね金具のＣ形状部とによって挟持されるようにして固定される。ここで複数のＬＥＤが設けられたＬＥＤパネルを取付部材の下方に取り付ける。
【００１３】
例えばこのような状態で、ＬＥＤパネルと電源装置とを配線材で接続する。また、取付部材に搭載した電源装置に接続された配線材と、上述の安定器に接続されていて切断され、仮保持されている配線材とを接続する。このようにしてリニューアルが終了する。
【００１４】
上述のように本発明は、天井の交換を要することなく、また天井の加工を要することなく、複数のＬＥＤが設けられたＬＥＤパネルを設置することができ、蛍光灯を備えたものからＬＥＤパネルを備えたものに変更するリニューアルに要する作業時間を少なく抑えることができる。
【００１５】
また本発明は、上記発明において、上記取付部材を上記押圧部材の下方に配置し、上記ＬＥＤパネルを上記取付部材よりも大きな形状に形成したことを特徴としている。このように構成した本発明は、比較的大きな形状寸法のＬＥＤパネルを設けることができるので、乗かご内の照明に必要とされる所望の照度を確保するに際し、ＬＥＤパネルの設置枚数を少なくすることができる。したがって本発明は、リニューアルに要する作業時間をさらに少なくすることができる。
【００１６】
また本発明は、上記発明において、上記取付部材を上記押圧部材の上方に配置し、ＬＥＤパネルを上記取付部材よりも小さく、上記ばね金具に干渉しない形状に形成したことを特徴としている。このように構成した本発明は、ＬＥＤパネルと拡散板との距離を大きく確保することができる。これにより、拡散板に光ムラが生じることを抑えることができる。
【００１７】
また本発明は、上記発明において、上記押圧部材は、上記ばね金具の上記Ｃ形状部に嵌着可能な円環状の蛍光灯と略同等の形状を有する環状部材から成ることを特徴としている。このように構成した本発明は、押圧部材によってばね金具のＣ形状部に係着された取付部材を強固に保持させることができ、安定したＬＥＤパネル設置構造を実現させることができる。
【発明の効果】
【００１８】
本発明は、複数のＬＥＤが設けられたＬＥＤパネルと、蛍光灯が嵌着可能なばね金具のＣ形状部に係着され、配線材が接続される電源装置が搭載され、下方にＬＥＤパネルが取り付けられる取付部材と、ばね金具のＣ形状部に嵌着され、取付部材をＣ形状部の内面に押圧する押圧部材とを備えた構成にしてある。この構成に伴って本発明は、既設のエレベータの乗かごに備えられる蛍光灯を有する照明装置を、複数のＬＥＤが設けられたＬＥＤパネルを有する照明装置にリニューアルするに際し、天井の交換を要することなく、また天井の加工を要することなく、ＬＥＤパネルを設置することができ、リニューアルに要する作業時間を少なく抑えることができる。これにより、エレベータの利用者に対するかご内照明装置のリニューアルに伴うサービス性の低下を従来技術よりも少なく抑えることができる。
【図面の簡単な説明】
【００１９】
【図１】本発明に係るエレベータのかご内照明装置の第１実施形態が備えられるエレベータの乗かご内部を示す斜視図である。
【図２】本発明の第１実施形態に係るかご内照明装置を示す縦断面図である。
【図３】本発明の第２実施形態に係るかご内照明装置を示す縦断面図である。
【図４】従来の蛍光灯を備えたエレベータのかご内照明装置を示す縦断面図である。
【図５】従来のＬＥＤパネルを備えたエレベータのかご内照明装置を示す縦断面図である。
【発明を実施するための形態】
【００２０】
以下、本発明に係るエレベータのかご内照明装置の実施の形態を図に基づいて説明する。
【００２１】
図１は本発明に係るエレベータのかご内照明装置の第１実施形態が備えられるエレベータの乗かご内部を示す斜視図である。この図１に示すように、エレベータの乗かごは、床１と、この床１の側壁を形成する側板２と、天井３と、かごドア４とが備えられている。天井３には、第１実施形態に係る照明装置５が設けられている。
【００２２】
図２は本発明の第１実施形態に係るかご内照明装置を示す縦断面図である。この図２に示すように第１実施形態に係る照明装置５は、照明光を拡散させる拡散板６と、エレベータの乗かごの天井３に装着され、拡散板６を保持する板枠７と、これらの板枠７と拡散板６で形成される筐体部の内部に配置され、保持部材９によって天井３に保持され、円環状の蛍光灯が嵌着可能なＣ形状部８ａを有するばね金具８とを備えている。ばね金具８のそれぞれは、保持部材９によって天井９に固定されている。これらの構成は、上述した図４に示した従来の照明装置２０におけるのと同等である。
【００２３】
この第１実施形態は、複数のＬＥＤ１８ａが設けられたＬＥＤパネル１８と、複数のばね金具８のそれぞれのＣ形状部８ａに係着され、配線材１２が接続される電源装置１１が搭載され、下方にＬＥＤパネル１８が取り付けられる取付部材１０とを備えている。取付部材１０の下面には連結部材１７を一体に設けてあり、ＬＥＤパネル１８は連結部材１７に対して位置合わせをした後、上方に押し込むことにより容易に連結部材１７に固定されるようになっている。
【００２４】
また、この第１実施形態は、ばね金具８のＣ形状部８ａに嵌着され、取付部材１０をＣ形状部８ａの内面に押圧する押圧部材１６を備えている。この押圧部材１６は、例えばばね金具８のＣ形状部８ａに嵌着される図４に示す蛍光灯２１と略同等の径寸法を有し、所定長さに形成された棒状部材からなっている。すなわち、複数のばね金具８のＣ形状部８ａごとに、押圧部材１６を嵌着させてある。
【００２５】
上述のようにして、押圧部材１６の下方に配置される取付部材１０は、例えばＬＥＤパネル１８よりも小さな形状に形成してある。すなわち、ＬＥＤパネル１８を取付部材１０よりも大きな形状に形成してある。
【００２６】
なお、この第１実施形態は、図２に示すように、天井３とＬＥＤパネル１８との距離Ｘ１が比較的大きくなり、これに伴ってＬＥＤパネル１８と拡散板６との距離が小さくなりがちである。しかし、この第１実施形態は、板枠７を、ＬＥＤパネル１８と拡散板６との距離が拡散板６の光ムラを抑えることができる距離となる高さ寸法を有するように予め設定してある。
【００２７】
このように構成した第１実施形態は、例えば、図４に示した既設のエレベータの乗かごに備えられる蛍光灯２１を有する照明装置２０から、ＬＥＤパネル１８を有する照明装置５にリニューアルしたものである。
【００２８】
図４に示した照明装置２０から、この第１実施形態に係る照明装置５にリニューアルするに際しては、天井３に装着されている板枠７から拡散板６を取り外し、ばね金具８のＣ形状部８ａに嵌着されている図４に示す蛍光灯２１を取り外すことが行われる。ここで乗かごの天井３に設けられている安定器１５に接続されている配線材１４の中途を切断し、安定器１５に接続されている配線材部分を除く配線材１４部分を仮保持しておくことが行われる。切断され仮保持される配線材１４には所定の末端処理が施される。また、この第１実施形態にあっては、安定器１５を取り外すことなく、天井３に取り付けられた状態とする。
【００２９】
ここで、電源装置１０が搭載された取付部材１０をばね金具８のＣ形状部８ａの下方部分に係着させ、この状態でばね金具８のＣ形状部８ａに押圧部材１６を嵌着させる。これにより、取付部材１０は押圧部材１６とばね金具８のＣ形状部８ａとによって挟持されるようにして固定される。取付部材１０に搭載された電源装置１１は、安定器１５の下方に配置された状態となる。
【００３０】
この状態で、複数のＬＥＤ１８ａが設けられたＬＥＤパネル１８を、取付部材１０の下面に設けた連結部材１７に対して位置合わせした後、上方に押し込む。これによりＬＥＤパネル１８は連結部材１７に固定される。
【００３１】
例えばこのような状態で、ＬＥＤパネル１８と電源装置１１とを図示しない配線材で接続する。また、取付部材１０に搭載した電源装置１１に接続された配線材１２と、上述の安定器１５に接続されていて切断され、仮保持される配線材１４とを閉端圧着端子１３によって連結する。このようにしてリニューアルが終了する。
【００３２】
上述のように、この第１実施形態は、既設のエレベータの乗かごに備えられる蛍光灯２１を有する照明装置２０を、複数のＬＥＤ１８ａが設けられたＬＥＤパネル１８を有する照明装置５にリニューアルするに際し、天井３の交換を要することなく、また、天井３の加工を要することなく、ＬＥＤパネル１８を設置することができ、リニューアルに要する作業時間を少なく抑えることができる。これにより、エレベータの利用者に対するかご内照明装置のリニューアルに伴うサービス性の低下を少なく抑えることができる。
【００３３】
また、この第１実施形態は、取付部材１０を押圧部材１６の下方に配置し、ＬＥＤパネル１８を取付部材１０よりも大きな形状に形成してあることから、比較的大きな形状のＬＥＤパネル１８を設けることができる。これにより、この第１実施形態は、乗かご内の照明に必要とされる所望の照度を確保するに際し、ＬＥＤパネル１８の設置枚数を少なくすることができる。したがって、リニューアルに要する作業をさらに少なくすることができる。
【００３４】
図３は本発明の第２実施形態に係るかご内照明装置を示す縦断面図である。この第２実施形態に係る照明装置５は、既設のエレベータの乗かごの天井３に取り付けられていた安定器１５が取り外され、取付部材１０Ａをばね金具８のＣ形状部８ａの上部に係着させることによって取付部材１０Ａを押圧部材１６の上方に配置してある。また、複数のＬＥＤ１８Ａａを有するＬＥＤパネル１８Ａを取付部材１０Ａよりも小さく、ばね金具８に干渉しない形状に形成してある。その他の構成は上述した第１実施形態と同等である。
【００３５】
このように構成した第２実施形態にあっても、第１実施形態と同様にしてリニューアルすることにより、リニューアルに要する作業時間を少なく抑えることができ、この点で第１実施形態と同等の作用効果が得られる。
【００３６】
また、この第２実施形態は、取付部材１０Ａを押圧部材１６の上方に配置し、ＬＥＤパネル１８Ａを取付部材１０Ａよりも小さく、ばね金具８に干渉しない形状に形成したことから、天井３とＬＥＤパネル１８Ａとの距離Ｘ２を小さくすることができる。すなわち、ＬＥＤパネル１８Ａと拡散板６との距離を大きく確保することができる。これにより、板枠７の高さ寸法を第１実施形態におけるよりも低くしても、拡散板６に光ムラが生じることを抑えることができる。
【００３７】
なお、上記各実施形態は、押圧部材１６が、ばね金具８のＣ形状部８ａに嵌着される図４に示す蛍光灯２１と略同等の径寸法を有し、所定長さの棒状部材から成っているが、本発明は、押圧部材１６をこのように構成することには限られない。例えば押圧部材１６を、ばね金具８のＣ形状部８ａに嵌着可能な図４に示す蛍光灯２１と略同形状の環状部材から成る構成にしてもよい。このように構成したものでは、押圧部材によってばね金具８のＣ形状部８ａに係着された取付部材１０，１０Ａを強固に保持させることができ、安定したＬＥＤパネル設置構造を実現させることができる。
【符号の説明】
【００３８】
３    天井
５    照明装置
６    拡散板
７    板枠
８    ばね金具
８ａ  Ｃ形状部
９    保持部材
１０    取付部材
１０Ａ  取付部材
１１    電源装置
１２    配線材
１３    閉端圧着端子
１４    配線材
１６    押圧部材
１７    連結部材
１８    ＬＥＤパネル
１８Ａ  ＬＥＤパネル  
１８ａ  ＬＥＤ
１８Ａａ  ＬＥＤ
２０    照明装置
２１    蛍光灯    
【図１】
0005486571.tif 000002
【図２】
0005486571.tif 000003
【図３】
0005486571.tif 000004
【図４】
0005486571.tif 000005
【図５】
0005486571.tif 000006